(57)【要約】【課題】運転状態を離れたところからでも目視で容易に確認でき、かつロータの回転状態を目視することができる安全性を確保した遠心分離機を提供する。【解決手段】ロータ室が収容された筐体２１と、その筐体２１の上部に取り付けられてロータ室を開閉する蓋２３と、筐体２１の前面側に配置された操作パネル部２４とを備えた遠心分離機において、蓋２３に透明材よりなる窓３１が設けられ、その窓３１の内側に光源が配置され、窓３１はロータ室を目視可能な透明部と、表面に凹凸加工が施されて光を拡散する拡散部とを有し、拡散部は蓋２３の上面より突出されて光源の点灯により光る構成とされる。【選択図】図１
2008183544.tif 000002
【特許請求の範囲】
【請求項１】
ロータ室が収容された筐体と、その筐体の上部に取り付けられて前記ロータ室を開閉する蓋と、前記筐体の前面側に配置された操作パネル部とを備えた遠心分離機において、
前記蓋に透明材よりなる窓が設けられ、
その窓の内側に光源が配置され、
前記窓は前記ロータ室を目視可能な透明部と、表面に凹凸加工が施されて光を拡散する拡散部とを有し、
前記拡散部は前記蓋の上面より突出されて、前記光源の点灯により光る構成とされていることを特徴とする遠心分離機。
【請求項２】
請求項１記載の遠心分離機において、
前記拡散部が前記透明部を囲んで前記窓の周縁部に形成されていることを特徴とする遠心分離機。
【請求項３】
請求項１記載の遠心分離機において、
前記窓の、前記光源と対向する内面に光拡散面が形成され、
前記光源の点灯により前記ロータ室が前記光拡散面で反射された光によって照明される構成とされていることを特徴とする遠心分離機。
【請求項４】
請求項１記載の遠心分離機において、
前記窓と対向して前記窓の内側に透明板が配置されていることを特徴とする遠心分離機。
【請求項５】
請求項４記載の遠心分離機において、
前記蓋は外蓋と内蓋とを有し、
前記外蓋に前記窓が取り付けられ、前記内蓋に前記透明板が取り付けられていることを特徴とする遠心分離機。
【請求項６】
請求項５記載の遠心分離機において、
前記窓と前記透明板との間に緩衝材が配置され、
その緩衝材によって囲まれた密閉空間が前記窓と前記透明板との間に形成されていることを特徴とする遠心分離機。
【請求項７】
請求項１記載の遠心分離機において、
前記光源は遠心分離機の状態に応じて点灯状態が変わることを特徴とする遠心分離機。
【請求項８】
請求項１記載の遠心分離機において、
前記光源は遠心分離機の状態に応じて点灯色が変わることを特徴とする遠心分離機。
【発明の詳細な説明】
【技術分野】
【０００１】
この発明は遠心分離機に関し、特に運転状態（ロータの回転状態）の確認を容易に行える遠心分離機に関する。
【背景技術】
【０００２】
遠心分離機の使用においてはユーザ（使用者）は遠心分離機をある時間設定して運転する。運転開始後は通常、ユーザはその場を離れ、例えば他の仕事に従事するといったことが行われる。所定の時間が経過し、遠心分離機が停止したことをユーザに知らせる方法として、従来からブザーやランプを使用することが行われている。例えば、遠心分離機の運転が終了すると、ある一定時間ブザーを鳴らすことによって運転停止を知らせる。しかしながら、ブザーは他の装置の騒音などに掻き消され、聞こえない場合がある。このような場合にはランプを使用することが有効であり、ランプの点灯状態により遠くからでも目視で遠心分離機の運転状態を確認することができる。
【０００３】
図６はこのようなランプを備えた遠心分離機の一例を示したものであり、図中、１１はロータ室を収容した筐体を示し、１２は筐体１１の上部に取り付けられてロータ室を開閉する蓋を示す。また、１３は操作パネル部を示す。この例では蓋１２は横開きタイプとなっており、ランプ１４は筐体１１の背面側において筐体１１の上に設けられた操作パネル部１３の上に取り付けられている。
【０００４】
これに対し、図７は蓋１２が前後開きタイプとされた遠心分離機の一例を示したものであって、ランプ１４はこの例では筐体１１の背面側に突出して取り付けられている。ランプ１４はその点灯色を変えたり、点灯状態を変えたりする（点灯、点滅）ことによって、例えば運転中、停止、エラー発生といった遠心分離機の各種状態を知らせることができる。
【０００５】
一方、図８は特許文献１に記載されている遠心分離機を示したものであり、この例では蓋１２の裏面に発光ダイオード（ＬＥＤ）１５が取り付けられている。
【０００６】
蓋１２が前後開きタイプとされ、かつ操作パネル部１３が筐体１１の背面側に設けられている場合、図８に示したように蓋１２が開いた状態では蓋１２により操作パネル部１３が見えなくなってしまい、操作パネル部１３によって例えば通電状況を判別することができなくなってしまう。図８に示した遠心分離機はこの問題を解決するものであって、発光ダイオード１５の点灯状態を見てユーザは通電状況を判別することができ、これにより例えば電源の消し忘れを防止することができるものとなっている。図中、１６は筐体１１内に収容されているロータ室を示す。
【特許文献１】特開２００２−３０６９８８号公報
【発明の開示】
【発明が解決しようとする課題】
【０００７】
上述したようなランプ１４を具備する遠心分離機では、ランプ１４は図６や図７に示したように、遠心分離機の上面や背面側に一般に大きく突出して取り付けられるため、人や物がランプ１４に接触するといったことが生じ易く、ランプ１４が破損したり、それにより怪我をする恐れがあるものとなっていた。
【０００８】
また、図８に示した遠心分離機では蓋１２が開いた状態での通電状況を発光ダイオード１５により容易に確認することができるものの、蓋１２が閉まっている状態では発光ダイオード１５は見えず、よってそのような蓋１２が閉まっている状態で遠くから遠心分離機の運転状態を容易に確認することはできないものとなっていた。
【０００９】
この発明の目的はこのような問題に鑑み、遠心分離機の運転状態を離れたところからでも目視で確認でき、かつ安全性を確保した遠心分離機を提供することにある。
【課題を解決するための手段】
【００１０】
請求項１の発明によれば、ロータ室が収容された筐体と、その筐体の上部に取り付けられてロータ室を開閉する蓋と、筐体の前面側に配置された操作パネル部とを備えた遠心分離機において、蓋に透明材よりなる窓が設けられ、その窓の内側に光源が配置され、窓はロータ室を目視可能な透明部と、表面に凹凸加工が施されて光を拡散する拡散部とを有し、拡散部は蓋の上面より突出されて、光源の点灯により光る構成とされる。
【００１１】
請求項２の発明では請求項１の発明において、拡散部が透明部を囲んで窓の周縁部に形成されているものとされる。
請求項３の発明では請求項１の発明において、窓の光源と対向する内面に光拡散面が形成され、光源の点灯によりロータ室が前記光拡散面で反射された光によって照明される構成とされる。
【００１２】
請求項４の発明では請求項１の発明において、窓と対向して窓の内側に透明板が配置される。
請求項５の発明では請求項４の発明において、蓋は外蓋と内蓋とを有し、外蓋に窓が取り付けられ、内蓋に前記透明板が取り付けられているものとされる。
請求項６の発明では請求項５の発明において、窓と透明板との間に緩衝材が配置され、その緩衝材によって囲まれた密閉空間が窓と透明板との間に形成される。
【００１３】
請求項７の発明では請求項１の発明において、光源は遠心分離機の状態に応じて点灯状態が変わるものとされる。
請求項８の発明では請求項１の発明において、光源は遠心分離機の状態に応じて点灯色が変わるものとされる。
【発明の効果】
【００１４】
この発明によれば、ロータの回転状態を目視することができ、また遠心分離機の運転状態を離れたところからでも目視で容易に確認することができる安全性、操作性に優れた遠心分離機を実現することができる。
【発明を実施するための最良の形態】
【００１５】
この発明の実施形態を図面を参照して実施例により説明する。
図１及び２はこの発明による遠心分離機の一実施例の構成を示したものであり、図１は蓋が閉塞された状態を示し、図２は蓋が開放された状態を示す。
【００１６】
筐体２１内には図２に示したようにロータ室２２が収容されており、筐体２１の上部にはロータ室２２を開閉する蓋２３が回動自在に取り付けられている。蓋２３はこの例では前後開きタイプとされている。筐体２１の前面側には操作パネル部２４が設けられており、操作パネル部２４はロータの回転速度や運転時間などの運転条件を入力するための設定部（操作キー）及びそれら条件などを表示するための表示部を具備するものとなっている。蓋２３にはこの例では図１に示したように、そのほぼ中央に透明材よりなる窓３１が設けられている。
【００１７】
図３は窓３１が設けられている部分の蓋２３の断面構造を示したものであり、図４は図３Ａに示した断面構造と共に、窓３１が設けられている部分における蓋２３の外側（表側）及び内側（裏側）から見た状態を示したものである。蓋２３はこの例では外蓋２５と内蓋２６とを備え、外蓋２５に形成された長円形の穴２７に窓３１が嵌め込まれて取り付けられている。
【００１８】
長円形をなす窓３１にはその周りに側壁部３２が内面側に突出して一体形成され、さらにその側壁部３２に続いて平板部３３が側壁部３２の周りに突出するように一体形成されている。窓３１はその長手方向及び長手方向と直交する幅方向において、外面が図３Ａ，Ｂに示したようにそれぞれわずかに湾曲されて外蓋２５の上面より突出されており、長手方向の一端側にはさらに突出された凸部３４が形成されている。凸部３４は図３Ａに示したように幅方向から見て断面三角形状をなし、この凸部３４が形成されている部分を含んで窓３１の外面周縁部には傾斜面３５が面取り状に形成されている。
【００１９】
一方、凸部３４が形成されている側において窓３１の内面にはギザギザ形状をなす光拡散面３６が形成されており、光拡散面３６は図３Ａに示したように窓３１の中央側に向く方向にわずかに傾斜されている。また、光拡散面３６の窓３１の中央側端部には、仕切り壁３７が窓３１の内面上に突出するように一体形成されている。
【００２０】
窓３１の表面（外面）にはいわゆるシボ加工等の微小な凹凸加工が施されて光を拡散する拡散部が形成されている。図４Ａ中、点々を付した部分はこの拡散部３１ａを示す。拡散部３１ａはこの例では図４Ａに示したように傾斜面３５と、内面に設けられている仕切り壁３７、光拡散面３６と対向する部分とされ、透明部３１ｂを囲むように形成されている。
【００２１】
窓３１の内側には光拡散面３６と対向する位置に光源４１が配置される。光源４１は例えば発光ダイオード（ＬＥＤ）とされ、基板４２に実装されている。光源４１が実装された基板４２は窓３１と一体の側壁部３２に形成された取り付け部３８に、その幅方向両端が固定されて取り付けられている。
【００２２】
一方、この例では窓３１と対向して窓３１の内側に透明板４３が配置されており、透明板４３は内蓋２６に取り付けられている。内蓋２６には図４Ｃに示したように窓３１の仕切り壁３７より外側（端部側）部分を除いた形状（外蓋２５の長円形の穴２７の一端側を切り欠いた形状）の穴２８が形成されており、この穴２８を塞ぐように透明板４３が取り付けられている。
【００２３】
窓３１と一体の平板部３３と透明板４３との間には緩衝材４４が挟み込まれて配置され、枠状をなす緩衝材４４、側壁部３２、仕切り壁３７によって囲まれた密閉空間４５が窓３１と透明板４３との間に形成されている。
【００２４】
上記のような構造において、窓３１及び透明板４３は樹脂製とされ、また外蓋２５もこの例では樹脂製とされている。内蓋２６は例えば鉄板などの金属板によって構成される。窓３１及び透明板４３には例えばポリカーボネートなどの衝撃に耐えられる高硬度の樹脂が使用される。
【００２５】
なお、外蓋２５と内蓋２６とは４隅が例えばネジにより固定されて一体化されている。外蓋２５への窓３１の固定及び内蓋２６への透明板４３の固定はそれぞれ接着固定とされ、また光源４１が実装された基板４２の取り付け部３８への固定も接着固定とされる。
【００２６】
上記のような構成とされた遠心分離機では、光源４１が点灯すると、その光によって拡散部３１ａが光る。図５Ａは拡散部３１ａの発光状態（光っている状態）を灰色で表して示したものであり、拡散部３１ａは蓋２３（外蓋２５）の上面より突出されているため、例えば蓋２３が閉まっている状態でもこの拡散部３１ａの発光を周囲から目視することができる。ここで、操作パネル部２４は筐体２１の前面側に配置されているため、操作パネル部２４が拡散部３１ａの視認性を損うことはない。
【００２７】
一方、蓋２３が開いた状態では遠心分離機の側面及び背面側からは蓋２３の表側（外蓋２５側）から拡散部３１ａの発光を目視することができ、また遠心分離機の前面側からも内蓋２６に取り付けられた透明板４３を介して拡散部３１ａの発光を目視することができる。図５Ｂは内蓋２６側から見た拡散部３１ａの発光状態を灰色で表して示したものである。なお、蓋２３が開いた状態では拡散部３１ａはより高い位置に位置するため、視認性が向上する。
【００２８】
光源４１が例えば１個の発光ダイオードよりなる場合は光源４１の点灯状態を変えることにより、遠心分離機の各種状態を拡散部３１ａの発光状態により示すことができる。以下に一例を示す。
（１）初期状態（運転前の状態）では光源４１は消灯状態とする。
（２）遠心分離機を運転し、ロータ室２２内のロータが回転を始めると、光源４１は点灯し、ロータの回転中は点灯状態とする。
（３）設定された運転時間が経過し、運転が停止すると、光源４１は遅い点滅状態となる。ユーザが操作パネル部２４の操作キーに対し、何らかの操作を行うことにより光源４１は消灯する。
（４）運転中に異常が発生した場合、光源４１は早い点滅状態となり、異常を知らせる。
なお、光源４１として例えば赤色、青色、緑色の３個の発光ダイオードを実装すれば、それらの点灯を組み合わせることで、所望の点灯色を得ることができ、また上記（２）〜（４）の３種類の状態を点灯色を変えることによって表示することもできる。
【００２９】
窓３１は上述したように発光する拡散部３１ａと、蓋２３が閉まっている状態でロータ室２２を目視可能とする透明部３１ｂとを備えており、透明部３１ｂを介してロータの回転状態を確認することができる。そして、この例では光源４１の点灯により、光源４１の光が窓３１の光拡散面３６で一部拡散反射されてロータ室２２を照らす（照明する）構造となっているため、その分ロータ室２２内が明るく、見やすくなり、ロータの回転状態を容易に確認することができるものとなっている。
【００３０】
以上説明したように、この例では蓋２３に窓３１を設け、その窓３１の一部に光を拡散する拡散部３１ａを形成して内部に配置した光源４１の点灯により拡散部３１ａが光るようにしたものであり、拡散部３１ａの発光状態によって遠心分離機の運転状態を遠くからでも目視で確認することができるものとなっている。光源４１は露出せず、内部に配置されているため、図６や図７に示した従来のランプ１４のように人や物が接触して破損させるといったことも生じない。
【００３１】
また、窓３１を介してロータ室２２を目視することができ、加えて拡散部３１ａを光らせる光源４１の光によってロータ室２２が照明される構造となっているため、良好な視認性を得ることができる。
【００３２】
遠心分離機において、所定の運転時間が経過し、運転が停止した際に、例えば自動で蓋２３が開く構造となっている場合には拡散部３１ａの発光状態をより高い位置で目視することができ、かつ遠心分離機の前面側からも目視することができるため、運転状態の確認を確実に行うことができる。
【００３３】
なお、窓３１の内側に窓３１と対向して透明板４３を配置し、いわゆる二重構造を採用しているため、例えばバケットがロータから外れる等の不慮の事故がロータ室２２で発生しても窓３１の損傷を防止できるものとなっており、かつ窓３１と透明板４３との間に配置した緩衝材４４によって窓３１に加わる衝撃が抑えられるものとなっているため、これらの点で良好な安全性を実現することができる。
【００３４】
加えて、窓３１と透明板４３との間には密閉空間４５が形成されるため、窓３１の内面やその内面と対向する透明板４３の内面の汚れを防止することができるものとなっている。
【図面の簡単な説明】
【００３５】
【図１】この発明による遠心分離機の一実施例の外観を示す斜視図。
【図２】図１に示した遠心分離機の蓋を開けた状態を示す斜視図。
【図３】Ａは図１における窓部分の詳細を示す断面図、ＢはＡにおけるＣＣ断面図。
【図４】図１における窓部分の詳細を示す図、Ａは蓋の外側から見た図、Ｂは断面図、Ｃは蓋の内側から見た図。
【図５】図１における窓の光っている状態を示す図、Ａは蓋の外側から見た図、Ｂは蓋の内側から見た図。
【図６】遠心分離機の第１の従来例を示す図、Ａは正面図、Ｂは側面図。
【図７】遠心分離機の第２の従来例を示す図、Ａは正面図、Ｂは側面図。
【図８】遠心分離機の第３の従来例を示す斜視図。
【図１】
2008183544.tif 000003
【図２】
2008183544.tif 000004
【図３】
2008183544.tif 000005
【図４】
2008183544.tif 000006
【図５】
2008183544.tif 000007
【図６】
2008183544.tif 000008
【図７】
2008183544.tif 000009
【図８】
2008183544.tif 000010